(57)【要約】点光源（ＬＥＤ素子(１０)）からの光を導光体(２０)の内部に取り込む。導光体(２０)は、中心軸に沿って延びる直進導光部(２１)と、外径方向へ光の進路を変える湾曲導光部(２２)と、さらに外径方向へ拡がる平盤状の拡開導光部(２３)とを含む。そして、直進導光部(２１)の始端面を光入射面(２４)として、その対向位置にＬＥＤ素子(１０)を配置し、拡開導光部(２３)に形成した光出射面(２６)から、直進導光部(２１)の外周空間(１)に向けて光を出射する。
2019008829.tif 000002
【特許請求の範囲】
【請求項１】
点光源からの光を導光体の光入射面からその内部に取り込み、当該導光体の一部に形成した光出射面から出射する構成を備えた照明装置であって、  前記導光体は、中央下部位置に下向きに前記光入射面が形成され、当該光入射面の下方から取り込んだ前記点光源の光を外径方向へ進路を変えて導く湾曲導光部と、当該湾曲導光部の終端から連続してさらに外径方向へ拡がる平盤状の拡開導光部とを含み、  前記光入射面の周縁部から前記湾曲導光部にかけての周囲には、前記導光体の内部に取り込んだ光のうち前記導光体の内部で全反射せずに透過した光を拡散反射させる反射部材が設けられ、  前記拡開導光部における上面に光拡散面を形成するとともに、当該上面と対向する下面を前記光出射面とし、この光出射面から光を出射することを特徴とする照明装置。
【請求項２】
前記点光源を保持する基部ユニットを備え、当該基部ユニットを、前記導光体の中央下部位置に形成した前記光入射面と対向して配置する構成としたことを特徴とする請求項１に記載の照明装置。
【請求項３】
前記基部ユニットを下方から支持するとともに、前記点光源への電力供給用の配線を内蔵する支持ユニットを備えたことを特徴とする請求項２に記載の照明装置。
【請求項４】
前記反射部材は、前記導光体の外周面と接する面が、前記導光体の内部に取り込んだ光のうち前記導光体の内部で全反射せずに透過した光を当該導光体の内部へと拡散反射させる光漏れ防止手段を構成するとともに、少なくとも外周面の一部が、前記光出射面から出射された光の一部を周囲へ反射させる周囲照射手段を構成することを特徴とした請求項１乃至３のいずれか一項に記載の照明装置。
【請求項５】
前記導光体の光出射面および前記反射部材の外周面と対向する部位に保護カバーが装着してあり、  前記保護カバーは、前記光出射面から出射された光の多くを透過するとともに、当該光の一部を前記周囲照射手段を構成する反射部材の外周面に向けて反射させる構成であることを特徴とする請求項４に記載の照明装置。
【請求項６】
前記導光体の拡開導光部に形成した光拡散面の上側に、当該光拡散面で拡散された光を前記拡開導光部の内部へと反射させる光漏れ防止部を設けたことを特徴とする請求項１乃至５のいずれか一項に記載の照明装置。
【請求項７】
前記導光体の拡開導光部は、前記光拡散面を、前記光出射面に対して外周方向に収束する傾斜面を形成していることを特徴とする請求項１乃至６のいずれか一項に記載の照明装置。
【発明の詳細な説明】
【技術分野】
【０００１】  この発明は、机上や床面などに配置される照明スタンドとして好適な照明装置に関する。
【背景技術】
【０００２】  本出願人は、ＬＥＤ光源のような点光源と導光体の特性を生かした画期的な照明装置を先に提案している（特許文献１：国際公開第２０１４／０８０７７１号参照）。かかる照明装置は、主に室内の天井に埋め込んで施設される天井埋込型の照明器具として好適な構成となっている。すなわち、特許文献１に開示された照明装置は、導光体の上端面から点光源の光を取り込み、導光体の下面から直接照明用の光を下方向へ照射する構成となっている。このため、天井埋込型の照明器具として利用する場合は、導光体の上端面に対向して設けた点光源に、天井裏から電力供給用の配線を引き込んで接続できるので、その配線取り回しは容易である。
【先行技術文献】
【特許文献】
【０００３】
【特許文献１】国際公開第２０１４／０８０７７１号
【発明の開示】
【発明が解決しようとする課題】
【０００４】  しかし、特許文献１に開示された照明装置は、机上や床面などに配置される照明スタンドとして利用するには、点光源への電力供給用の配線取り回しの構造が複雑化するなどの課題を有していた。すなわち、その照明装置を照明スタンドとして利用するには、例えば、支持ポールの中空部を通して点光源への電力供給用の配線を取り回すことになるため、支持ポールの上端部を導光体の上端面側へ回り込ませる必要があり構造が複雑化する。しかも、点光源や導光体を含む重量のある装置本体を上側から支持ポールで保持するためには、その支持構造に十分な強度を確保する必要がある。【０００５】  本発明は、上述した事情に鑑みなされたもので、机上や床面などに配置される照明スタンドとして好適な照明装置の提供を目的とする。
【課題を解決するための手段】
【０００６】  上記目的を達成するために、本発明は、点光源からの光を導光体の光入射面からその内部に取り込み、当該導光体の一部に形成した光出射面から出射する構成を備えた照明装置であって、  導光体は、中央下部位置に下向きに光入射面が形成され、当該光入射面の下方から取り込んだ点光源の光を外径方向へ進路を変えて導く湾曲導光部と、当該湾曲導光部の終端から連続してさらに外径方向へ拡がる平盤状の拡開導光部とを含み、  光入射面の周縁部から湾曲導光部にかけての周囲には、導光体の内部に取り込んだ光のうち導光体の内部で全反射せずに透過した光を拡散反射させる反射部材が設けられ、  拡開導光部における上面に光拡散面を形成するとともに、当該上面と対向する下面を光出射面とし、この光出射面から光を出射することを特徴とする。【０００７】  かかる構成のように、光入射面を導光体の中央下部位置に配置することで、この光入射面と対向して配置された点光源への電力供給用の配線を、下方から取り回すことができるようになり、机上や床面などに配置される照明スタンドへの適用を容易に実現することができる。【０００８】  本発明は、さらに点光源を保持する基部ユニットを備え、当該基部ユニットを、導光体の中央下部位置に形成した光入射面と対向して配置する構成とすることができる。  このように構成することで、導光体の中央下部位置に対向配置した基部ユニットを介して、点光源への電力供給用の配線を容易に取り回すことが可能となり、机上や床面などに配置される照明スタンドへの適用をいっそう容易に実現することができる。【０００９】  ここで本発明は支持ユニットを備え、この支持ユニットにより基部ユニットを下方から支持するとともに、この支持ユニットに点光源への電力供給用の配線を内蔵する構成とすることが好ましい。これにより、照明スタンドを容易に構成することができる。【００１０】  また、反射部材は、導光体の外周面と接する面が、導光体の内部に取り込んだ光のうち導光体の内部で全反射せずに透過した光を当該導光体の内部へと拡散反射させる光漏れ防止手段を構成するとともに、少なくとも外周面の一部が、光出射面から出射された光の一部を周囲へ反射させる周囲照射手段を構成することが好ましい。【００１１】  反射部材によって導光体に取り込まれた光の外部への漏れが防止されるので、光の減衰を抑えて効率的に光出射面から光を出射することができる。導光体の光出射面から出射された光は、当該光出射面と対向する位置とその周辺を明るく照らす。さらに、光出射面から出射された光の一部は、反射部材の上記周囲照射手段を構成する外周面に入射し、当該外周面で拡散反射してその周囲を照らす。反射部材の当該外周面に入射する光の量は、光出射面と対向する位置とその周辺に照射される光の量に比べて少ないため、周囲はほのかに照らされて、独特な照明効果を得ることができる。【００１２】  さらに、導光体の光出射面および反射部材の外周面と対向する部位に保護カバーを装着した構成とすることもできる。  保護カバーは、光出射面から出射された光の多くを透過するとともに、当該光の一部を保護カバーの内面によって周囲照射手段を構成する反射部材の外周面に向けて反射させる構成とする。【００１３】  この構成により、導光体の光出射面や反射部材の外周面の傷付きや汚損を防止できる。しかも、保護カバーの内面により、光出射面から出射された光の一部を、反射部材の外周面（周囲照射手段）に向けて反射させることで、当該反射部材の外周面に光出射面から直接入射する光とは異なる角度で光が入射する。これにより、反射部材の外周面からいろいろな角度に光が反射して、広い角度範囲の周囲を照らすことが可能となる。【００１４】  また、本発明は、導光体の拡開導光部に形成した光拡散面の上側に、当該光拡散面で拡散された光を拡開導光部の内部へと反射させる光漏れ防止部を設けた構成とすることが好ましい。この構成により、拡開導光部で拡散された光を効率的に光出射面から出射させることができる。【００１５】  さらに、本発明は、導光体の拡開導光部は、光拡散面を、光出射面に対して外周方向に収束する傾斜面とすることもできる（以下「断面楔状導光部」という）。このように光拡散面を傾斜面とすることで、湾曲導光部から導かれてきた光の多くを効率的に光拡散面に入射させることができる。【００１６】  以上説明したように、本発明によれば、光入射面を導光体の中央下部位置に配置することで、この光入射面と対向して配置された点光源への電力供給用の配線を、下方から取り回すことができるようになり、机上や床面などに配置される照明スタンドへの適用を容易に実現することができる。
【図面の簡単な説明】
【００１７】
【図１】図１は、本発明の実施形態に係る照明装置の構成を示す正面断面図である。
【図２】図２Ａは、本発明の実施形態に係る照明装置を構成する各部品の分解斜視図である。図２Ｂは、点光源が配置された回路基板を示す斜視図である。
【図３】図３は、本発明の実施形態に係る照明装置による照明作用を説明するための正面断面図である。
【図４】図４は、本発明の実施形態に係る照明装置による照明スタンドの構成例を示す斜視図である。
【図５】図５は、本発明の他の実施形態に係る照明装置の構成を示す正面断面図である。
【図６】図６は、本発明の他の実施形態に係る照明装置を構成する各部品の分解斜視図である。
【図７】図７Ａは、本発明の第３実施形態に係る照明装置の構成を示す正面断面図である。図７Ｂは、導光体の一部を拡大して示す正面断面図である。
【図８】図８Ａおよび図８Ｂは、本発明の第３実施形態に係る照明装置を構成する各部品の分解斜視図である。
【図９】図９は、本発明の第３実施形態に係る照明装置による照明作用を示す正面断面図である。
【符号の説明】
【００１８】１０：点光源（ＬＥＤ素子）、２０：導光体、２１：直進導光部、２２：湾曲導光部、２３：拡開導光部、２３ａ：拡開導光部の外周側面、２３’：断面楔状導光部、２３ａ’：断面楔状導光部の外周側面、２４：光入射面、２５：光拡散面、２６：光出射面、２７：内側導光部、３０：反射部材、３１：第１反射部材、３２：第２反射部材、３１ａ円筒壁、３３：導光体対向面、３４：外周反射面４０：回路基板、４１：配線コード、４２：配線パターン、５０：基体、５１：配線孔、６０：保護カバー、７０：反射シート（光漏れ防止部）、８０：上部カバー、９０：第１光拡散透過カバー、９１：第２光拡散透過カバー１００：載置台、１０１：支持ポール
【発明を実施するための最良の形態】
【００１９】  以下、この発明の実施の形態について図面を参照して詳細に説明する。〔第１実施形態〕  図１は本発明の第１実施形態に係る照明装置の構成を示す正面断面図、図２Ａは同装置を構成する各部品の分解斜視図である。  なお、図１において、後述する導光体２０と保護カバー６０には、切断面を示すハッチングを省略している（図３、図５、図７Ａおよび図９も同様）。図７Ｂには光反射面の中心方向に面した断面を明確にするため、ハッチングを施した。【００２０】  本実施形態に係る照明装置は、点光源１０からの光を導光体２０の光入射面２４からその内部に取り込み、その導光体２０の一部に形成した光出射面２６から出射して照明する基本構造となっている。導光体２０の光入射面２４から一定範囲にかけての周囲には反射部材３０が設けられ、導光体２０の内部に取り込まれた光のうち導光体２０の内部で全反射せずに透過した光を拡散反射させることで、光の外部への漏れを防止している。【００２１】  点光源１０には、例えばＬＥＤ（発光ダイオード）素子を用いることができる。本実施形態では、点光源１０にＬＥＤ素子を用いることとし、同じ符号を付して以下の説明を進めていく。  ＬＥＤ素子１０は、図２Ｂに示すように、回路基板４０の上面に複数個、円周方向に並べて半田付けしてある。ＬＥＤ素子１０の配置は、後述する導光体２０の光入射面２４の形状に対応した配置としてあり、各ＬＥＤ素子１０は、導光体２０の光入射面２４と対向するように位置決めされる。【００２２】  回路基板４０には、配線コード４１の導体が半田付け等の手段をもって取り付けられる。各ＬＥＤ素子１０は、あらかじめ回路基板４０に形成された配線パターン４２を経由して、配線コード４１の導体と電気的に接続される。  配線コード４１は、図示しない電源回路から送られてきた電力を各ＬＥＤ素子１０に供給する。この供給された電力をもって各ＬＥＤ素子１０が発光して、光を放射する。【００２３】  導光体２０は、光入射面２４から取り込まれた光を、減衰を最低限に抑えて内部で全反射を繰り返して、光拡散面２５に入射した光が拡散反射して光出射面２６へと導き、当該光出射面２６から外部へ出射させる機能を有した光学部材である。この導光体２０は、例えばアクリル樹脂等の透明な樹脂材料で形成することができる。【００２４】  本実施形態では、図２Ａに示すような形状に導光体２０を成形してあり、図１に示すように、直進導光部２１、湾曲導光部２２、拡開導光部２３の各部を含み、これら各部が一体成形されている。  直進導光部２１は、図２Ａに示すように、中心軸Ｏに沿って延びる円筒形状に形成されており、その始端面（図の下端面）が光を取り込む光入射面２４となっている。この光入射面２４は、導光体２０の中央下部に位置することになる。本実施形態では、光入射面２４が円環状に形成されており、既述したように複数のＬＥＤ素子１０がこの光入射面２４に対向して配置される。【００２５】  湾曲導光部２２は、中心軸Ｏに沿って延びる直進導光部２１の終端から湾曲して外径方向へと光の進路を変える部位である。そして、拡開導光部２３は、湾曲導光部２２の終端からさらに外径方向へ拡がる部位である。拡開導光部２３は、同じ厚さの平盤状に形成され、外周縁は円形状に成形されている。【００２６】  さらに、拡開導光部２３における上側の平面は光拡散面２５を形成している。この光拡散面２５は、拡開導光部２３へと導かれてきた光を拡散して反射させるための面である。光拡散面２５は、例えば拡開導光部２３における上面をシボ加工やサンドブラスト加工、シルク印刷等の加工法をもって粗面や細かな凹凸面に加工したり、光を乱反射させるような塗料を当該上面に塗布することで形成することができる。  なお、本実施形態では、拡開導光部２３の外周側面２３ａも、同様な方法で光拡散面２５を形成している。すなわち、図１および図３において、太線で示す領域が光拡散面２５を形成している。【００２７】  そして、拡開導光部２３における下側の平面が光出射面２６を形成している。この光出射面２６は、上述したように光拡散面２５が形成された上面と対向しており、光拡散面２５で拡散され反射してきた光が、この光出射面２６から外部に向けて出射される（図３の符号ａ参照）。このように光が出射される外部空間は、図１に示すように、直進導光部２１の外周に存在する空間であり、この外周空間を通過して主に下方に向けて光が照射される。【００２８】  次に、反射部材３０は、図１に示すように、直進導光部２１（具体的には、光入射面２４の周縁部）から湾曲導光部２２にかけての周囲に設けられ、この領域に両導光部内で全反射せずに透過してきた光を導光体２０の内部へ拡散反射させ、外部へ光が漏れ出ることを阻止している。本実施形態では、図１および図２Ａに示すように、反射部材３０を第１反射部材３１と第２反射部材３２とで構成してある。第１反射部材３１は、導光体２０の下側に嵌め込まれ、第２反射部材３２は、導光体２０の上側に嵌め込まれる。【００２９】  反射部材３０は、例えば光が透過しない樹脂材料で成形され、導光体２０の外面と対向する面（導光体対向面３３）が、導光体２０の内部に取り込んだ光のうち導光体２０の内部で全反射せずに透過した光を導光体２０の内部へと拡散反射させる光漏れ防止手段を構成している。なお、導光体対向面３３は、導光体２０の表面に空気層を介して設置されており、導光体２０の内部から全反射せずに出射してきた光を導光体２０の内部へと反射させることができる配置であればよい。かかる導光体対向面３３は、光の吸収がきわめて少なく入射した光のほぼすべてを拡散反射させる拡散反射面に形成することが好ましいが、これに限定されるものではない。【００３０】  また、反射部材３０（本実施形態では、第１反射部材３１）において、直進導光部２１の外周空間１に露出する外周面（外周反射面３４）は、光出射面２６から出射された光の一部を周囲へ反射させる周囲照射手段を構成している。光出射面２６から出射された光の一部は、この外周反射面３４に入射し、この外周反射面３４で反射してその周囲を照らす（図３の符号ｂ参照）。【００３１】  ここで、周囲を照らす明るさは、外周反射面３４における光の反射・吸収の度合いに応じて任意に調整することができる。例えば、外周反射面３４を拡散反射面に形成した場合は、入射した光の吸収を抑えて拡散反射させることができるので、周囲を明るく照らすことができる。ただし、���の場合であっても、外周反射面３４に入射する光の量は、光出射面２６と対向する位置とその周辺に照射される光の量に比べて少ないため、周囲はほのかに照らされる程度である。  また、外周反射面３４をつや消し黒色など、入射した光の一部を吸収する色に形成した場合は、ユーザーの目線方向の反射光量が減って、よりグレアが軽減された照明効果を得ることができる。【００３２】  また、本実施形態では、図１に示すように、反射部材３０の始端縁が、回路基板４０に配置されたＬＥＤ素子１０の周囲を囲むように配置してある。これにより、ＬＥＤ素子１０から放射された光が外部へ漏れ出ることなく、その光のほぼすべてを導光体２０の光入射面２４からその内部へ取り込むことが可能となる。【００３３】  図１および図２Ａに示すように、ＬＥＤ素子１０が半田付けされた回路基板４０は、基体５０の上面に保持される。基体５０を金属部品とすることで、ＬＥＤ素子の発する熱を放熱するヒートシンクの役割を兼ねることができる。これら回路基板４０と基体５０は、ＬＥＤ素子１０を保持するための基部ユニットを構成する。この基体５０は、導光体２０の中央下部位置に形成した光入射面２４と対向して配置され、回路基板４０、導光体２０および反射部材３０の各部品を、中央下部位置で支持する。さらに、基体５０には、中心軸Ｏに沿って配線孔５１が形成してある。ＬＥＤ素子１０に電力を供給する配線コード４１は、この配線孔５１を通して下方へ引き回すことができる。【００３４】  さらに、導光体２０の光出射面２６および反射部材３０の外周面と対向する部位には、直進導光部２１の外周空間１を隔てて、保護カバー６０が装着してある。保護カバー６０は、入射した光の多くを透過するとともに一部を反射させる機能をもつ透明または半透明の材料で製作することができる。この保護カバー６０により、導光体２０の光出射面２６や反射部材３０の外周面の傷付きや汚損を防止することができる。【００３５】  保護カバー６０は、光出射面２６から直進導光部２１の外周空間１に向けて出射された光の多くを透過する。さらに、保護カバー６０は、光出射面２６から直進導光部２１の外周空間１に向けて出射された光の一部を、反射部材３０の外周反射面３４に向けて反射させる機能を有している。保護カバー６０により、反射部材３０の外周反射面３４に向けて光を反射させることで、当該反射部材３０の外周反射面３４に光出射面２６から直接入射する光とは異なる角度で光が入射する（図３の符号ｃ参照）。これにより、反射部材３０の外周面からいろいろな角度に光が反射して、広い角度範囲の周囲を照らすことが可能となる。【００３６】  また、導光体２０の拡開導光部２３に形成した光拡散面２５の上側には、反射シート７０が配置してある。この反射シート７０は、光拡散面２５で拡散透過された光を拡開導光部２３の内部へと反射させる光漏れ防止部を構成する。すなわち、反射シート７０の光拡散面２５と対向する面は、光を透過・吸収しない拡散反射面に仕上げてあり、導光体２０の内部から入射してきた光のほぼすべてを導光体２０の内部へと反射させる機能を有している。なお、反射シート７０に代えて、光を透過・吸収せず、入射した光のほぼすべてを反射���せる色の塗料を、光拡散面２５の上側に塗布することで、光漏れ防止部を構成してもよい。反射シート７０の上側には、上部カバー８０が装着される。【００３７】  上述した構成の照明装置は、次のような手順で組み立てることができる。  ＬＥＤ素子１０と配線コード４１の導体は、あらかじめ回路基板４０に半田付けしておく。保護カバー６０は、下端縁をあらかじめ基体５０の上端縁に配置して組み合わせておく。そして、配線孔５１に配線コード４１を通した状態で、基体５０の上面に回路基板４０を配置する。  続いて、回路基板４０の上部に、第１反射部材３１、導光体２０、第２反射部材３２の順序でこれらの各部品を組み込み、さらにその上面に反射シート７０を配置する。  その後に、上部カバー８０で装置の上面開口部を覆うとともに、上部カバー８０の下端周縁部を保護カバー６０の上端縁に嵌め込んで、図１に示した照明装置が完成する。【００３８】  基体５０と回路基板４０とは、接着剤で接着したり、ビス等の締結具で固定してもよい。保護カバー６０と基体５０とは、あらかじめ接着剤で接着してもよい。保護カバー６０と上部カバー８０との間には、係止爪とその係合部を形成しておき、それらの係合をもって嵌め合わせ状態を保持する構成とすることができる。また、保護カバー６０と上部カバー８０も、接着剤で接着したり、ビス等の締結具で固定してもよい。【００３９】  第１反射部材３１、導光体２０、第２反射部材３２の各部品は、基体５０と上部カバー８０の間に挟まれてがたつきが防止され、基体５０によって支持される。なお、好ましくは回路基板４０と基体５０の中間部や、反射シート７０と上部カバー８０の間に、弾力性のある緩衝部材を配置することで、いっそう適切にがたつきを防止することができる。【００４０】  次に、図３を参照して、本実施形態に係る照明装置の照明作用を説明する。  ＬＥＤ素子１０から放射された光は、導光体２０の光入射面２４からその内部へ取り込まれる。導光体２０の内部に取り込まれた光は、各面への入射角が臨界角を上回った光が全反射を繰り返して直進導光部２１から湾曲導光部２２へと進み、拡開導光部２３に至るが、一方で全反射せずに出射した光は反射部材３０で拡散反射して導光体内部へ戻されることで直進導光部２１から湾曲導光部２２へと進み、拡開導光部２３に至る。このように、導光体２０に取り込まれた光は反射部材３０によって外部への漏れが防止されるので、光の減衰を抑えて効率的に拡開導光部２３へ導くことができる。【００４１】  拡開導光部２３に導かれてきた光は、その多くが光拡散面２５で拡散されて、対向する光出射面２６から直進導光部２１の外周空間１に出射される。光拡散面２５で拡散された光のうち、拡散透過光は、反射シート７０で拡散反射して導光体２０の内部へ戻される。このようにして戻された光も、光出射面２６から出射されるので、拡開導光部２３で拡散された光を効率的に光出射面２６から出射させることができる。なお、拡開導光部２３に導かれてきた光には、光拡散面２５に入射して拡散反射あるいは拡散透過する光や、光出射面２６で再度全反射して拡開導光部２３でさらに導光する光、そして光出射面２６での入射角が臨界角を下回った光がそのまま光���射面２６から出射するものがある。  導光体２０の光出射面２６から出射された光の多くは、直進導光部２１の外周空間１を通り、保護カバー６０を透過して、光出射面２６と対向する位置とその周辺（本実施形態では、照明装置の下方領域）を明るく照らす。【００４２】  さらに、光出射面２６から出射された光の一部は、反射部材３０の外周反射面３４に入射し、当該外周反射面３４で反射してその周囲（本実施形態では、照明装置の側方領域）を照らす。反射部材３０の外周反射面３４に入射する光の量は、光出射面２６と対向する位置とその周辺に照射される光の量に比べて少ないため、周囲はほのかに照らされて、独特な照明効果を得ることができる。【００４３】  しかも、保護カバー６０が、光出射面２６から出射された光の一部を、反射部材３０の外周反射面３４に向けて反射させる。そのため、光出射面２６から直接入射する光とは異なる角度で、反射部材３０の外周反射面３４に光が入射する。これにより、反射部材３０の外周反射面３４からいろいろな角度に光が反射して、広い角度範囲の周囲を照らすことが可能となる。【００４４】  本実施形態に係る照明装置は、照明スタンドへの適用に好ましい構成となっている。  図４は実施形態に係る照明装置を照明スタンドに適用した構成例を示している。例えば同図に示すように、載置台１００から支持ポール１０１を斜め上方へ延出させ、支持ポール１０１の上端を基体５０に連結することで、照明スタンドを構成することができる。この支持ポール１０１は、載置台１００との連結部を支点とし、該支点から垂直に延びる線を軸として所定角度だけ回転可能な構成であっても良い。【００４５】  ＬＥＤ素子１０に電力を供給するための配線コード４１は、基体５０の配線孔５１から支持ポール１０１の中空部内を通して取り回すことができる。したがって、机上や床面などに配置される照明スタンドへの適用を容易に実現することができる。  載置台１００と支持ポール１０１は、回路基板４０と基体５０（基部ユニット）を下方から支持するとともに、ＬＥＤ素子１０への電力供給用の配線コード４１を内蔵する支持ユニットを構成する。【００４６】〔第２実施形態〕  次に、本発明の本発明の第２実施形態に係る照明装置について図面を参照して説明する。  図５は本発明の第２実施形態に係る照明装置の構成を示す正面断面図、図６は同装置を構成する各部品の分解斜視図である。なお、これらの図に示す第２実施形態に係る照明装置において、先の図１乃至図３に示した第１実施形態に係る照明装置と同一部分または相当する部分には、同一符号を付してその部分の詳細な説明は省略する。【００４７】  図５および図６に示す照明装置は、導光体２０の直進導光部２１が円柱状に形成してあり、その始端面に光入射面２４を形成してある。そして、光入射面２４と対向する位置に、１個又は少数個のＬＥＤ素子１０を配置し、ＬＥＤ素子１０から放射された光を光入射面２４から導光体２０の内部へ取り込む構成としてある。【００４８】  かかる構成の照明装置は、先の第１実施形態に係る照明装置（図１〜図３参照）に比べ、導光体２０の外径方向の寸法を小さく抑えることができるため、小形化を図る上で利点がある。【００４９】〔第３実施形態〕  次に、本発明の本発明の第３実施形態に係る照明装置について図面を参照して説明する。  図７Ａは本発明の第３実施形態に係る照明装置の構成を示す正面断面図である。また、図８Ａおよび図８Ｂは同装置を構成する各部品の分解斜視図であり、図８Ａは各部品を斜め下方から見た分解斜視図、図８Ｂは各部品を斜め上方から見た分解斜視図である。図９は、本発明の第３実施形態に係る照明装置による照明作用を示す正面断面図である。【００５０】  なお、これらの図に示す第３実施形態に係る照明装置において、先の図１乃至図３に示した第１実施形態に係る照明装置と同一部分または相当する部分には、同一符号を付してある。そして、第１実施形態と共通する構成や作用については、詳細な説明を一部省略する。【００５１】    本実施形態に係る照明装置も、上述した第１実施形態に係る照明装置と同様に、点光源１０からの光を導光体２０の光入射面２４からその内部に取り込み、その導光体２０の一部に形成した光出射面２６から出射して照明する基本構造となっている。  導光体２０の光入射面２４から一定範囲にかけての周囲には反射部材３０が設けられ、導光体２０の内部に取り込まれた光のうち導光体２０の内部で全反射せずに透過した光を拡散反射させることで、光の外部への漏れを防止している。【００５２】  本実施形態においても、図８Ｂに示すように、点光源としてのＬＥＤ素子１０が、回路基板４０の上面に複数個、円周方向に並べて半田付けしてある。これらのＬＥＤ素子１０は、配線コード４１を介して電力が供給され発光し、光を放射する。【００５３】  ＬＥＤ素子１０の配置は、後述する導光体２０の光入射面２４の形状に対応した配置としてあり、各ＬＥＤ素子１０は、導光体２０の光入射面２４と対向するように位置決めされる。【００５４】  本実施形態では、導光体２０は、図７Ａに示すように、湾曲導光部２２および断面楔状導光部２３’の各部を含み、これら各部が一体成形され、湾曲導光部２２の始端面（図の下端面）が光を取り込む光入射面２４となっている。この光入射面２４は、導光体２０の中央下部に位置することになる。本実施形態においても、光入射面２４は円環状に形成されており、既述したように複数のＬＥＤ素子１０がこの光入射面２４に対向して配置される。【００５５】  湾曲導光部２２は、光入射面２４の周縁部から湾曲して外径方向へと光の進路を変える部位である。そして、断面楔状導光部２３’は、湾曲導光部２２の終端からさらに外径方向へ拡がる部位である。断面楔状導光部２３’は、その名の通り断面が楔形状であり、外周に向かうほど厚さが薄くなるように形成され、外周縁は円形状に成形されている。【００５６】  本実施形態においても第１実施形態と同様に、断面楔状導光部２３’における上側の平面は、光拡散面２５を形成している。一方、断面楔状導光部２３’における下側の平面は、光出射面２６を形成している。そして、光拡散面２５で拡散され反射してきた光が、この光出射面２６から外部に向けて出射される（図９の符号ａ参照）。【００５７】  ここで、導光体２０の断面楔状導光部２３’は、図７Ｂに示すように、光拡散面２５（上面）を、光出射面２６（下面）に対して外周方向に収束する傾斜角θの傾斜面としてある。すなわち、光拡散面２５（上面）は、外周方向に向かって光出射面２６（下面）に接近していく。このように光拡散面２５を傾斜面とすることで、湾曲導光部２２から導かれてきた光をより多く光拡散面２５に入射させることができる。湾曲導光部２２から導かれて光出射面２６と平行に進む光であっても、光拡散面２５が傾斜面なのでそこで拡散するからである（第１、第２実施例では光出射面２６と平行に進む光は漏れ光となる）。  したがって、効率的に光を光拡散面２５へ入射させ、光拡散面２５で拡散して光出射面２６から出射させることができ、光出射面２６から出射する光量が増え、照度の向上を実現することができる。【００５８】  反射部材３０は、図７Ａ、図８Ａおよび図８Ｂに示すように、第１反射部材３１と第２反射部材３２とで構成してある。第１反射部材３１は、導光体２０の下側に嵌め込まれ、第２反射部材３２は、導光体２０の上側に嵌め込まれる。【００５９】  本実施形態では、第１反射部材３１が、導光体２０の湾曲導光部２２に対して、その下側の面に沿って設置してある。また、第２反射部材３２は、導光体２０の湾曲導光部２２から拡開導光部２３にかけて、その上側の面に沿って設置してある。【００６０】  ここで、第１反射部材３１は、導光体２０における湾曲導光部２２の内面と対向する面（導光体対向面３３）が、導光体２０の内部に取り込んだ光のうち導光体２０の内部で全反射せずに透過した光を導光体２０の内部へと拡散反射させる光漏れ防止手段を構成している。同様に、第２反射部材３２は、導光体２０における湾曲導光部２２の外面と対向する面（導光体対向面３３）が、導光体２０の内部に取り込んだ光のうち導光体２０の内部で全反射せずに透過した光を導光体２０の内部へと拡散反射させる光漏れ防止手段を構成している。  導光体対向面３３は、導光体２０の表面に空気層を介して設置されており、導光体２０の内部から全反射せずに出射してきた光を導光体２０の内部へと反射させることができる。【００６１】  本実施形態では、導光体２０における断面楔状導光部２３’の外面と第２反射部材３２との間には、円盤状の反射シート７０を配置してある。したがって、この反射シート７０を配置した領域は、効率よく光を下方に反射でき、出射面２６から出射する光の照度を向上させることができる。【００６２】  反射シート７０は、光拡散面２５で拡散された光を断面楔状導光部２３’の内部へと反射させる光漏れ防止部を構成する。すなわち、反射シート７０の光拡散面２５と対向する面は、光を透過・吸収しない拡散反射面に仕上げてあり、導光体２０の内部から入射してきた光のほぼすべてを導光体２０の内部へと反射させる機能を有している。なお、反射シート７０に代えて、光を透過・吸収せず、入射した光のほぼすべてを反射させる色の塗料を、光拡散面２５の上側に塗布することで、光漏れ防止部を構成してもよい。【００６３】  また、第１反射部材３１は、最外周部が中心軸と平行に延びる円筒壁３１ａとなっており、その円筒壁３１ａの外周面（外周反射面３４）は、光出射面２６から出射された光の一部を周囲へ反射させる周囲照射手段を構成している。光出射面２６から出射された光の一部は、この外周反射面３４に入射し、この外周反射面３４で反射してその周囲を照らす（図９の符号ｂ参照）。【００６４】  また、本実施形態では、上部カバー８０の中央部分が開口してあり、その開口部に第１光拡散透過カバー９０が嵌め込んである。さらに、導光体２０の中央開口部分にも、第２光拡散透過カバー９１が嵌め込んである。これら各光拡散透過カバーは、入射した光を拡散して透過する機能を有する合成樹脂等で形成してある。  本実施形態では、導光体２０の中央下部内周側（光入射面２４よりも内周側）に、内側導光部２７を連続して形成してある。【００６５】  そして、回路基板４０に搭載したＬＥＤ素子１０から放射された光が、導光体２０の内側導光部２７内で反射して、第２光拡散透過カバー９１に入射する。第２光拡散透過カバー９１は、入射した光を拡散して透過する。このように第２光拡散透過カバー９１を透過した拡散光は、続いて第１光拡散透過カバー９０に入射し、ここでも拡散されて同カバー９０の上面から外部へ出射する（図９の符号ｄ参照）。  本実施形態に係る照明装置は、このような作用をもって、上部カバー８０の上方に存在する外部空間についても、目に優しい拡散光をもってほのかに照明する機能を備えている。【００６６】  内側導光部２７には以下のような効果もある。白色ＬＥＤは青色光のＬＥＤと、青色光で励起されてその補色にあたる黄色を発光する蛍光体の組み合わせで白色を作り出しているため、周辺部は黄色光が目立つことがある。その場合、光入射面２４に入りきらなかった周辺光が黄色の漏れ光となって出現していたが、内側導光部２７を設けたことにより、周辺光だけでない白色光も混じるようになるので、黄色が目立たなくなる。第３実施例では特にこの光が第２光拡散透過カバー９１および第１光拡散透過カバー９０を経て上方を照明するので、重要な効果となる。【００６７】  なお、本発明は上述した各実施形態に限定されるものではなく、特許請求の範囲に記載された発明の要旨を逸脱しない範囲で、種々の変形実施や応用実施が可能であることは勿論である。
【図１】
2019008829.tif 000003
【図２】
2019008829.tif 000004
【図３】
2019008829.tif 000005
【図４】
2019008829.tif 000006
【図５】
2019008829.tif 000007
【図６】
2019008829.tif 000008
【図７】
2019008829.tif 000009
【図８】
2019008829.tif 000010
【図９】
2019008829.tif 000011
【国際調査報告】
2019008829.tif 000012
2019008829.tif 000013